(57)【要約】【課題】天井内で結露した結露水や外部から伝わってきた水滴が、電源線を伝って電装ボックス内に浸入する前に水滴を下方に滴下させる構造とすることを目的とする。【解決手段】電装ボックス３の側面の電源線６入線用の開口３ａと対面する位置にブリッジ状の電線保護カバー１を設け、電源線６は天井から垂れ下がるように電線保護カバー１をくぐるようにして電装ボックス３の開口３ａに入線することにより、電源線６の上方で結露した結露水や外部から伝わってたれ下がってきた水滴を、電線保護カバー１の部分で下方に滴下し、電装ボックス３内に水が浸入することを防止する効果を得られる。【選択図】図３
2014181873.tif 000002
【特許請求の範囲】
【請求項１】
箱型の本体ケースと、この本体ケースに送風機を内蔵し、前記本体ケースは、天井裏などに吊り状態で設置される換気装置において、
前記本体ケース側面に電装部品を内蔵した電装ボックスを備え、
この電装ボックスの前記本体ケースに接する側面に電源線入線用の開口を設け、
前記本体ケースの側面には、前記開口と対向する位置にブリッジ状の電線保護カバーを備えた換気装置。
【請求項２】
前記電線保護カバーの入線部は、外側に曲げてフランジ形状にした請求項１記載の換気装置。
【請求項３】
前記電線保護カバーと前記電装ボックスとの間に隙間を設けた請求項１〜２の換気装置。
【請求項４】
前記電線保護カバーの脚部（取り付け側面）は、水平方向に対して傾斜を有した請求項１〜３の換気装置。
【発明の詳細な説明】
【技術分野】
【０００１】
本発明は、主にオフィスや工場に設置され、空調機と併設された省エネルギーのために使用される換気装置に関するものである。
【背景技術】
【０００２】
従来、この種の換気装置は、天井裏に埋め込み、室内外を連通するダクトやパイプなどを介して室内外の空気を換気する換気装置として用いられている。換気装置は、箱型の本体内部にはファンを有する送風機と、風路を形成するファンケーシングと、コンデンサや電源の接続端子を内蔵した電装ボックスが備えられている。（例えば、特許文献１参照）。
【０００３】
以下、その換気装置の一例について図を参照しながら説明する。
【０００４】
従来の天井吊下げ型のダクト用換気扇１００は、内部に多翼式送風機１０１に通電させる電装ボックス１０６を備え、コンデンサ１０４と電源接続用の接続端子を備え、天井裏から敷説されたＶＶＦケーブルなどの電源線を接続端子１０５へ結線する。
【０００５】
ＶＶＦケーブルなどの電源線は、ボディ１０２の天面に設けた電源線用開口部１０７よりボディ２１内に導引され、開口部１０３近傍でＵ字に折り返されて、電装ボックス１０６の接続端子１０５へ結線されることが提案されている（例えば、特許文献１）。
【先行技術文献】
【特許文献】
【０００６】
【特許文献１】特開２０１３−１５２６０号公報
【発明の概要】
【発明が解決しようとする課題】
【０００７】
このような従来の換気装置においては、ＶＶＦケーブルなどの電源線を用いて、天井から垂れ下げられた電源線を電源ボックス内の端子に入線し接続する方法が一般的である。しかし、天井裏の空間内に換気装置を設置した場合、室内外を連通するダクトやパイプなどを介して空気を換気しているため、室内外の温度差が大きくなった場合、結露水が発生しやすくなる。このような場合、ダクトやパイプで結露した結露水や外部から伝わってきた水滴が電源線を伝って電装ボックス内に浸入し、場合によってはショートする危険がある、という課題を有していた。
【０００８】
そこで本発明は、上記従来の課題を解決するものであり、天井内で結露した結露水や外部から伝わってきた水滴が電源線を伝って電装ボックス内に浸入する前に水滴を下方に滴下させる構造とすることを目的とする。
【課題を解決するための手段】
【０００９】
そして、この目的を達成するために、本発明は、
箱型の本体ケースと、この本体ケースに送風機を内蔵し、前記本体ケースは、天井裏などに吊り状態で設置される換気装置において、
前記本体ケース側面に電装部品を内蔵した電装ボックスを備え、
この電装ボックスの前記本体ケースに接する側面に電源線入線用の開口を設け、
前記本体ケースの側面には、前記開口と対向する位置にブリッジ状の電線保護カバーを備えたものであり、これにより所期の目的を達成するものである。
【発明の効果】
【００１０】
本発明によれば、箱型の本体ケースと、この本体ケースに送風機を内蔵し、前記本体ケースは、天井裏などに吊り状態で設置される換気装置において、
前記本体ケース側面に電装部品を内蔵した電装ボックスを備え、この電装ボックスの前記本体ケースに接する側面に電源線入線用の開口を設け、前記本体ケースの側面には、前記開口と対向する位置にブリッジ状の電線保護カバーを備えたので、電源線は天井から垂れ下がるように電線保護カバーをくぐるようにして電装ボックスの開口部に入線する。すなわち、電線は、天井から垂れ下がって電線保護カバーの部分でＵ字状に上方向に曲げられた後、電装ボックスの側面の開口に入線するので、電線の上方で結露した結露水や外部から伝わってきた水滴は、電線保護カバーの部分で下方に滴下し、電源ボックス内に水が浸入することを防止する、という効果を得ることができる。
【図面の簡単な説明】
【００１１】
【図１】本発明の実施の形態１の換気装置の設置構成を示す側面図
【図２】本発明の実施の形態１の換気装置の設置構成を示す斜視図
【図３】電装ボックス部分の周囲を拡大した斜視図
【図４】従来の換気扇の設置状態を示すたて断面図
【図５】従来の換気扇を吸込口側から見た斜視図
【図６】従来の換気装置の電装ボックスを拡大した部分拡大図
【発明を実施するための形態】
【００１２】
本発明の請求項１記載の換気装置は、
箱型の本体ケースと、この本体ケースに送風機を内蔵し、前記本体ケースは、天井裏などに吊り状態で設置される換気装置において、前記本体ケース側面に電装部品を内蔵した電装ボックスを備え、この前記電装ボックスの前記本体ケースに接する側面に電源線入線用の開口を設け、前記本体ケースの側面には、開口と対向する位置にブリッジ状の電線保護カバーを備えたものであり、前記電源線は、天井から垂れ下がって前記電線保護カバーをくぐるようにしてＵ字状に上方向に曲げられた後、前記電装ボックスの側面の開口に入線する。従って、前記電源線の上方で結露した結露水や外部から伝わってきた水滴は、前記電線保護カバーの部分で下方に滴下することになるので、電装ボックス内に水は浸入しない、という効果を奏する。
【００１３】
また、前記電線保護カバーの入線部は、外側に曲げたフランジ形状という構成にしてもよい。
【００１４】
これにより、電源線の被服部分が、電線保護カバーのエッジで傷付くことを防止するととともに、電線保護カバーに曲げを入れることにより、電線保護カバー単体の強度を高めることができる。また、電源線を電装ボックス内に入線する際に発生しやすい折れ曲がりや断線を防止する、という効果を奏する。
【００１５】
また、電線保護カバーと前記電装ボックスとの間に隙間を設ける、という構成にしてもよい。
【００１６】
これにより、電線保護カバーの内側で溜まった水滴が、電線保護カバーの部分で下方に滴下することになるので、電装ボックス内に水は浸入しない、という効果を奏する。
【００１７】
また、電線保護カバーの脚部（取り付け側面）は、水平方向に対して傾斜を有した形状、という構成にしてもよい。
【００１８】
これにより、吊り金具との干渉を避けると共に、天地逆設置した場合であっても、電線保護カバーの部分で下方に滴下することになるので、電装ボックス内に水は浸入しない、という効果を奏する。
【００１９】
以下、本発明の実施の形態について図面を参照しながら説明する。
【００２０】
（実施の形態１）
図１は、本発明の実施の形態１の換気装置の設置構成を示す側面図である。図２は、本発明の実施の形態１の換気装置の設置構成を示す斜視図である。図３は、電装ボックス部分の周囲を拡大した斜視図である。
【００２１】
本実施の形態による換気装置は、箱型の本体ケース４の内部に、図示しないが、熱交換素子、給気用ファンモータ、排気用ファンモータを備えたものである。また、本体ケース４の側面には、吊りボルト５と接続固定できる形状を有した吊り金具２を備えている。さらに、この換気装置の本体ケース４の側面には、コンデンサや電源接続用の接続端子などの電装部品を内蔵した電装ボックス３を備え、この電装ボックス３の側面には、電源線入線用の開口３ａが設けられている。そして、本体ケース４の側面であって、電装ボックス３の開口３ａと対向する位置には、ブリッジ状の電線保護カバー１が備えられている。すなわち、電線保護カバー１のブリッジ部分の開口は、電装ボックス３の開口３ａと向かい合っている。
【００２２】
電線保護カバー１は、本体ケース４に立設して固定される脚部（取り付け側面）とブリッジ部分とで構成される。さらに脚部は、その本体ケース４側端部を折り曲げて、本体ケース４に固定するための取付面を有している。ブリッジ部分は、固定される本体ケース４とほぼ平行に設けられ、本体ケース４との間にブリッジ空間を形成している。
【００２３】
電源線６は、ブリッジ状の電線保護カバー１をくぐらせるように通した後、電装ボックス３の開口３ａから電装ボックス３内に入線することになる。そして、電装ボックス３内では、電源接続用の接続端子などに接続される。
【００２４】
このような本実施の形態における換気装置は、図１のように建物の天井裏などに吊り状態で設置される。この設置について詳しく説明する。
【００２５】
図１のように、建物の天井裏などには、梁に吊りボルト５が吊下げられている。図２、３のように換気装置の本体ケース４は、側面に少なくとも４箇所吊り金具２が設けられている。
【００２６】
吊り金具２は、本体ケース４の側面に対して、直交し、水平面を形成する吊りボルト受け面２ａを有している。この吊りボルト受け面２ａには、後述する吊りボルト５を引掛ける切欠きが設けられている。
【００２７】
そして、本体ケース４を設置する場合には、吊りボルト５にワッシャー、ナットを嵌め、このワッシャー、ナットの上面に吊り金具２の吊りボルト受け面２ａに乗せるようにして吊下げ固定する。
【００２８】
また、換気装置を起動・停止するための電源線や運転切り替えをおこなうためのリモコン線として、ＶＶＦケーブルなどの電源線６が用いられる。この電源線６は、吊りボルト５と同じように天井７から垂れ下げられ、電線保護カバー１の部分でＵ字状に上方向に曲げられる。そして、電源線６は、電線保護カバー１のブリッジ部分をくぐり抜けた後、電装ボックス３の側面の開口３ａに入線されることになる。
【００２９】
このように、本実施の形態の換気装置においては、本体ケース４の側面に電装部品を備えた電装ボックス３の側面開口部と対面する位置に、ブリッジ状の空間を施した電線保護カバー１を取り付け、ＶＶＦケーブルなどの電源線６を電線保護カバー１のブリッジ部分にくぐらせるようにして電装ボックス３の内部にある接続端子へ接続する。このように電線保護カバー１の部分で電源線６は上方に曲げられているので、電源線６を伝った結露水や外部から伝わってきた水滴は、下方に滴下することになり、電装ボックス内に水が浸入することを回避できる。
【００３０】
また、ブリッジ状の空間を形成した電線保護カバー１は、入線側の端部を外側に曲げ、フランジ形状とすることにより、電源線６の被服部分がエッジで傷付くことを防止する。さらに、このフランジ部分は、ブリッジ部分に対して直交するように形成することによって、電線保護カバー１自体の強度を高めることができる。
【００３１】
さらに、電源線６を電装ボックス内に入線する際に発生しやすい折れ曲がりや断線を防止することができる。
【００３２】
また、電線保護カバー１と電装ボックス３との間に隙間を設けたので、電線保護カバー１の内側で溜まった水滴は、電装ボックス３側へ流れ込むことなく電線保護カバー１の部分で下方に滴下することになる。すなわち、電装ボックス３内に水が浸入することを回避できる。
【００３３】
また、電線保護カバー１の脚部（取り付け側面）は、水平方向に対して傾斜を有した形状とすることにより、吊り金具２との干渉を避けることができる。また、天地逆設置した場合であっても、電線保護カバー１の部分に滴下した水滴は、傾斜した脚部を伝ってその最下部から下方に滴下することになるので、電装ボックス３内に水が浸入することを回避できる。
【産業上の利用可能性】
【００３４】
本発明に係る換気装置は、箱型の本体ケースと、この本体ケースに送風機を内蔵し、前記本体ケースは、天井裏などに吊り状態で設置され、前記本体ケース側面に電装部品を内蔵した電装ボックスを備え、この電装ボックスの前記本体ケースに接する側面に電源線入線用の開口を設け、前記本体ケースの側面には、前記開口と対向する位置にブリッジ状の電線保護カバーを備えたものであるので、天井裏等に設置される換気扇、空気調和装置等に適用できる。
【符号の説明】
【００３５】
１  電線保護カバー
２  吊り金具
２ａ  吊りボルト受け面
３  電装ボックス
３ａ  開口
４  本体ケース
５  吊りボルト
６  電源線
７  天井
２１  ボディ
【図１】
2014181873.tif 000003
【図２】
2014181873.tif 000004
【図３】
2014181873.tif 000005
【図４】
2014181873.tif 000006
【図５】
2014181873.tif 000007
【図６】
2014181873.tif 000008